(57)【要約】【課題】半導体レーザなどの、光源部からの発熱を伴う光の出射の熱の影響により生じる色ずれ相互差を低減し、印字品質の悪化を防止する、画像形成装置に備えられる走査光学装置を提供する。【解決手段】光学箱３６に、一方の半導体レーザ３９の位置決めを行う第１の固定部である嵌合部１０と、他方の半導体レーザの位置決めを行う第２の固定部である嵌合部１０とを用いて、２つの半導体レーザ３９を、それぞれ固定部材１１により固定する。このときに、２つの嵌合部１０の向きを互いに反対方向に設置し、固定部材１１による２つのレーザホルダ４０への付勢方向が互いに逆向きになるように設置する。【選択図】　　　　図３
2004138647.tif 000002
【特許請求の範囲】
【請求項１】
光束を出射する、少なくとも１つの第１の光源部および少なくとも１つの第２の光源部と、
上記第１の光源部および／または上記第２の光源部から出射された光束を偏向走査する、複数の鏡面からなり回転可能な回転多面鏡を有する偏向走査手段と、
上記第１の光源部を有し、上記第１の光源部から出射した光束を上記回転多面鏡の第１の面に入射させ、上記回転多面鏡により偏向され走査された上記光束を所定部に照射可能な第１の光学系と、
上記第２の光源部を有し、上記第２の光源部から出射した光束を上記回転多面鏡の第２の面に入射させ、上記回転多面鏡により偏向され走査された上記光束を所定部に照射可能な第２の光学系と、
上記第１の光学系および上記第２の光学系を内包する光学箱とを有して構成され、
上記第１の光学系と上記第２の光学系とが、上記回転多面鏡に対して互いにほぼ対称に配置され、
上記第１の光源部を固定する第１の固定部における上記第１の光源部に対する付勢の向きと、上記第２の光源部を固定する第２の固定部における上記第２の光源部に対する付勢の向きとが互いに逆向きになるように設置されている
ことを特徴とする走査光学装置。
【発明の詳細な説明】
【０００１】
【発明の属する技術分野】
この発明は、走査光学装置に関し、特に、カラーレーザビームプリンタ（ＬＢＰ）やカラーデジタル複写機、カラーデジタルファクシミリ装置などの、発熱を伴う発光を利用して光書き込みを行う装置に適用して好適なものである。
【０００２】
【従来の技術】
従来の、ＬＢＰ、デジタル複写機、またはデジタルファクシミリ（デジタルＦＡＸ）などの電子写真方式を採用した画像形成装置において、感光体に対して光書き込み走査を行う走査光学装置を、図７に示す。
【０００３】
図７に示すように、従来の走査光学装置においては、まず、半導体レーザ、コリメータレンズおよびレーザ駆動回路からなるレーザユニット７０から取り出されたコリメート光が、回転するポリゴンミラー７１により反射偏向走査される。
【０００４】
また、このコリメート光は、走査レンズ７２および折り返しミラー７３を順次通過して、最終的に感光体ドラム（図示せず）の表面に到達する。なお、このレーザユニット７０は、光源装置と呼び替えてもよい。
【０００５】
また、コリメート光は、書き込みドラムの幅内に最適に絞り込まれたビームとなるように、走査レンズ３２により成形される。これとともに、書き込みの同期検知が行われ、書き込み位置ずれを防止するために、走査ビームの一部がＢＤミラー７４によって反射されて、ＢＤユニット７５により光検知が行われる。なお、このＢＤユニット７５には、その内部に光検出素子（図示せず）が設けられている。
【０００６】
また、ポリゴン面の傾き誤差による感光体上のビームの上下方向（副走査方向）における位置ずれを防止するために、一般に、レーザから取り出されたビームは、シリンダレンズ７７により、ポリゴン面上において副走査方向に圧縮して結像した線像にされるとともに、ポリゴン面上と感光体面上とが、副走査方向において共役関係とする構成がとられる。
【０００７】
さらに、それらの構成部材は、光学箱７６に取り付ける際に、基準ピン（図示せず）などを用いて、寸法公差内に収まるように構成されている。
【０００８】
また、このレーザユニット７０は、図８に示すように、その内部にコリメータレンズ７８や半導体レーザ７９が配置されているとともに、光軸合わせやピント調整をされつつ組み付けられている。
【０００９】
さらに、半導体レーザ７９の内部においては、端面発光型のレーザチップ６０から出射したレーザ光Ｌが窓６１を通してコリメータレンズ３８側に取り出され、コリメートされたレーザビームＬｃとなる。
【００１０】
一方、レーザチップ６０背面からの背面レーザ光Ｌ´は、パッケージに内蔵されたフォトダイオード６２により検出され、光量を一定に保つ、いわゆるＡＰＣ動作に利用される。
【００１１】
このＡＰＣ動作は、レーザ駆動電流に対してレーザ光Ｌ，Ｌ´がほぼ等価的に変化することを利用するものである。そして、これらの光量調整は、通常、走査レーザ光による有効書き込み領域外で、走査回ごとの書き込み開始直前か、または通紙する頁間隔の期間に実行される。
【００１２】
ところで、最近は、複数（例えば４個）の走査光学装置を有するカラー画像形成装置が提案されている（特許文献１、特許文献２）。また、１個のポリゴンミラーにより、２本の光束を偏向するようにしたカラー画像形成装置も提案されている。
【００１３】
しかしながら、上述した従来技術においては、複数の光源ユニットからの複数の光束が、ポリゴンミラーに対して対向していることにより、次のような問題が生じていた。
【００１４】
すなわち、複数の光源ユニットをそれぞれ固定部品により固定すると、部品点数が多くなりすぎてしまう。また、このような部品点数の過多に伴い、組立タクトも長くなってしまう。そのため、コストの増加を抑制し、固定部品によるスペースを確保するためには、装置本体を大型化しなければならないという問題が生じていた。
【００１５】
【特許文献１】
特開平６−１８３０５６号公報
【特許文献２】
特開平１０−１８６２５４号公報
【００１６】
【発明が解決しようとする課題】
そこで、本出願人は、この問題を解決するために、図６に示す構成を有する走査光学装置を提案した。この走査光学装置においては、半導体レーザ１４を圧入保持したレーザホルダ１５が固定部材１６によって光学箱１７に付勢される構成を有している。
【００１７】
ところが、本発明者が、このような走査光学装置に関して、種々実験および検討を行ったところ、次のような問題があることを知見するに至った。
【００１８】
すなわち、この走査光学装置においては、光源部として半導体レーザ１４が用いられている。そのため、この半導体レーザ１４の発熱により、これを圧入保持しているレーザホルダ１５が熱膨張により変形してしまう。
【００１９】
この熱膨張によってレーザホルダ１５が変形すると、この変形の影響により応力が生じる。そして、このレーザホルダ１５を光学箱１７の方向に付勢する向きと、固定部材１６によりレーザホルダ１５を押し付ける力に逆らう向きとに、力が加えられる。
【００２０】
そして、レーザホルダ１５は、突き当てのない回転多面鏡の回転軸の方向に熱変形してしまい、その結果、傾きが生じてしまう。
【００２１】
このように傾きが生じることにより、回転多面鏡に対して略対称に配置させた２系統の光学部材群、すなわち第１の光学系と第２の光学系とを経て偏向走査された光束を、感光体ドラム面上などの所定部分に集光させる場合、この感光体ドラム面上における色ずれに相互差が発生してしまう。
【００２２】
したがって、この発明の目的は、半導体レーザなどの、光源部からの発熱を伴う光の出射の熱の影響により生じる色ずれ相互差を低減し、印字品質の悪化を防止することができる、画像形成装置の構成部としての走査光学装置を提供することにある。
【００２３】
【課題を解決するための手段】
上記目的を達成するために、この発明は、
複数の光源部から出射された光束を回転多面鏡の異なる面に入射偏向させ、この回転多面鏡に対して略対称に配置された２系統の光学部材群を経て偏向走査された光束を所定の部分に集光させる場合に、光学箱に、複数の光源部の位置決めを行う固定部が光源部と同数設けられ、これらの固定部を、互いに、複数の光源部における光束の出射に起因する変形によって生じる光の出射方向のずれが相殺される向きに設ける
ことを特徴とするものである。
【００２４】
すなわち、具体的に、この発明は、
光束を出射する、少なくとも１つの第１の光源部および少なくとも１つの第２の光源部と、
第１の光源部および／または第２の光源部から出射された光束を偏向走査する、複数の鏡面からなり回転可能な回転多面鏡を有する偏向走査手段と、
第１の光源部を有し、第１の光源部から出射した光束を回転多面鏡の第１の面に入射させ、回転多面鏡により偏向され走査された光束を所定部に照射可能な第１の光学系と、
第２の光源部を有し、第２の光源部から出射した光束を回転多面鏡の第２の面に入射させ、回転多面鏡により偏向され走査された光束を所定部に照射可能な第２の光学系と、
第１の光学系および第２の光学系を内包する光学箱とを有して構成され、
第１の光学系と第２の光学系とが、回転多面鏡に対して互いにほぼ対称に配置され、
第１の光源部を固定する第１の固定部における第１の光源部に対する付勢の向きと、第２の光源部を固定する第２の固定部における第２の光源部に対する付勢の向きとが互いに逆向きになるように設置されている
ことを特徴とするものである。
【００２５】
また、この発明は、より具体的には、１つ以上の発光点を有する光源部が２つ設けられ、偏向走査手段がこれらの２つの光源部からの光束を偏向走査する回転多面鏡を有し、これらの２つの光源部から照射された光束を回転多面鏡の互いに異なる面に入射偏向させて、この回転多面鏡に対してほぼ対称に配置させた２系統の光学系を経て偏向走査されたそれぞれの光束を、所定面上に集光させる光学部材群と、少なくともこの光学系および光学部材群を内包する光学箱を有する走査光学装置において、光学箱に、２つの光源部を位置決めする２つのＶ字形状またはＵ字形状の固定部が設けられ、この固定部における一方のＶ字形状またはＵ字形状の向きと、他方のＶ字形状またはＵ字形状の向きとが互いに反対向きである。
【００２６】
また、この発明による具体的な走査光学装置によれば、光源部の発熱により、光源部を保持する部材が熱膨張により変形して、この変形に伴い発生する応力に起因する押し付け力に逆らう力により、光束の出射方向に傾きが生じてしまうのに対し、一方の固定部を他方の固定部に対して倒立するように設けていることにより、それぞれの光源部における熱膨張による、２つの光源部から照射され回転多面鏡に入射される光束の位置を、この回転多面鏡の回転軸の向きにおいて逆向きにすることができるので、この光束が所定面に照射される際に、それぞれの系統の所定面上における光の照射ずれを相殺することができる。
【００２７】
【発明の実施の形態】
以下、この発明の一実施形態について図面を参照しながら説明する。なお、以下の一実施形態の全図においては、同一または対応する部分には同一の符号を付す。
【００２８】
まず、この発明の一実施形態による走査光学装置を備えた画像形成装置について説明する。図１に、この一実施形態によるカラー画像形成装置を示す。
【００２９】
図１に示すように、この一実施形態による画像形成装置においては、画像情報に基づいて、それぞれの光学箱３６ａ，３６ｂから、それぞれ光変調されたビームＬＣ，ＬＭ，ＬＹ，ＬＫが出射される。そして、これらのビームＬＣ，ＬＭ，ＬＹ，ＬＫが、それぞれに対応する感光ドラム４６Ｃ，４６Ｍ，４６Ｙ，４６ＢＫの面上に照射され、そこに潜像が形成される。
【００３０】
これらの潜像は、それぞれ一次帯電器４７Ｃ，４７Ｍ，４７Ｙ，４７ＢＫによってそれぞれ一様に帯電されているそれぞれの感光ドラム４６Ｃ，４６Ｍ，４６Ｙ，４６ＢＫ面上に形成される。また、これらの潜像は、それぞれの現像器１Ｃ，１Ｍ，１Ｙ，１ＢＫによって、それぞれシアン、マゼンタ、イエロー、ブラックの画像に可視像化される。
【００３１】
これらの可視像化された画像は、転写ローラ２Ｃ，２Ｍ，２Ｙ，２ＢＫにより、転写ベルト４４上で搬送される転写材４５に、順次静電転写される。これによりカラー画像が形成される。
【００３２】
その後、それぞれの感光ドラム４６Ｃ，４６Ｍ，４６Ｙ，４６ＢＫ面上の残留トナーが、それぞれのクリーナ４８Ｃ，４８Ｍ，４８Ｙ，４８ＢＫにより除去される。
【００３３】
続けて、次のカラー画像を形成するために、それぞれの感光ドラム４６Ｃ，４６Ｍ，４６Ｙ，４６ＢＫが、それぞれ一次帯電器４７Ｃ，４７Ｍ，４７Ｙ，４７ＢＫにより一様に帯電される。
【００３４】
また、上述した転写材４５は、給紙トレイ４９上に積載されている。そして、給紙ローラ５０によって１枚ずつ順に給紙され、レジストローラ５１によって画像の書き出しタイミングの同期が取られて転写ベルト４４上に送出される。
【００３５】
転写材４５が転写ベルト４４上に精度良く搬送されている間に、感光ドラム４６Ｃ，４６Ｍ，４６Ｙ，４６ＢＫ面上にそれぞれ形成された、それぞれシアンの画像、マゼンタの画像、イエローの画像およびブラックの画像が、順次転写材４５上に転写され、カラー画像が形成される。
【００３６】
また、回転ムラの小さな駆動モータ（図示せず）に接続された駆動ローラ５２により、転写ベルト４４の送りが精度良く実行される。そして、転写材４５上に形成されたカラー画像は、定着器５３によって熱定着された後に、排紙ローラ５４などによって排紙トレイ４３上に排出されて装置外に出力される。
【００３７】
以上のようにして、この一実施形態による画像形成装置が構成されている。
【００３８】
（走査光学装置）
次に、この画像形成装置に備えられる走査光学装置について説明する。図２に、この一実施形態による走査光学装置の構成を示す。なお、図２Ａおよび図２Ｂに概略上視図を示し、図２Ｃおよび図２Ｄに概略断面図を示す。
【００３９】
すなわち、図２Ａに示すように、この走査光学装置においては、第１の光学系における第１の光源部としての半導体レーザ３９Ｃと、第２の光学系における第２の光源部としての半導体レーザ３９Ｍとから出射されたレーザビームは、偏向走査手段を構成する回転多面鏡としてのポリゴンミラー３１ａが駆動モータ３４ａにより回転された状態となることにより、互いに異なる方向に走査される。
【００４０】
そして、図２Ｃに示すように、このポリゴンミラー３１ａにより反射されたレーザビームは、それぞれ走査レンズ３２Ｃ，３２Ｍを透過する。その後、それぞれの走査レンズ３２Ｃ，３２Ｍを透過したレーザビームは、それぞれ折り返しミラー３３Ｃ，３３Ｍによって反射され、それぞれに対応する感光ドラム４６Ｃ，４６Ｍに結像する。
【００４１】
また、同様に、図２Ｂに示すように、並列する他の走査光学装置における半導体レーザ３９Ｙ，３９ＢＫから出射されたレーザビームは、駆動モータ３４ｂにより回転されるポリゴンミラー３１ｂにより互いに異なる方向に反射され、走査される。
【００４２】
そして、図２Ｄに示すように、ポリゴンミラー３１ｂにより走査されたレーザビームは、それぞれ走査レンズ３２Ｙ，３２ＢＫを透過した後、それぞれ折り返しミラー３３Ｙ，３３ＢＫにより反射され、それぞれに対応する感光ドラム４６Ｙ，４６ＢＫに結像される。
【００４３】
以上のような第１の光学系と第２の光学系とからなる走査光学系を、２対並列に並べることによって、走査光が、４つの感光ドラム上にそれぞれ照射される。
【００４４】
（光源部）
次に、この一実施形態による光源部について説明する。図３に、この一実施形態による光源部の構成を示す。
【００４５】
図３に示すように、偏向手段や走査レンズなどを収納可能に構成された光学箱３６には、たとえばＶ字形状の固定部としての嵌合部１０が配置されている。
【００４６】
また、レーザユニット３０は、固定部材１１により光学箱３６に固定される。すなわち、このレーザユニット３０は、レーザホルダ４０の円筒形状における側面が、光学箱３６の嵌合部１０に突き当てられ、固定部材１１により嵌合部１０の側に向けて付勢されている。
【００４７】
また、光学箱３６の嵌合部１０は、１つのレーザユニット３０につき光軸方向に沿って、第１の固定部としての嵌合部１０および第２の固定部としての嵌合部１０の２個、設けられている。
【００４８】
そして、２つの光源部から照射された光束をポリゴンミラー３１の異なる面に入射偏向させて、回転多面鏡としてのポリゴンミラー３１に対して略対称に配置させた第１の光学系および第２の光学系を経て偏向走査する走査光学装置において、一方の嵌合部１０の向きと、他方の嵌合部１０の向きとが互いに異なる方向、具体的には、反対方向になり、固定部材１１による付勢の向きが、互いに逆向きになるように設けられている。
【００４９】
また、このレーザユニット３０は、光学箱３６上の２箇所の嵌合部１０の間に設けられた穴１３に対してレーザホルダ４０に具備された突出部４１を差し込んで組み付ける。
【００５０】
また、レーザユニット３０は、レーザホルダ４０により構成される。そして、レーザホルダ４０には、光源である半導体レーザ３９が、圧入などにより取り付けられている。また、光源部としての半導体レーザ３９から出射された光束としてのレーザ光を、平行光または規定の収束光束に変換するコリメータレンズ３８がコリメータ鏡筒３５に接着固定されている。
【００５１】
図４に、この発明の一実施形態による光源部の現象を示す。図４Ａおよび図４Ｂに示すように、半導体レーザ３９の発熱により、この半導体レーザ３９を圧入保持したレーザホルダ４０が熱膨張して変形する。
【００５２】
この変形に伴いレーザホルダ４０の半導体レーザ３９近傍が熱膨張すると、図４Ａに示す状態から図４Ｂに示す状態に移行する。すなわち、固定部材１１の付勢力に逆らって、レーザホルダ４０に傾きを生じる。
【００５３】
この傾きは、回転多面鏡であるポリゴンミラー３１に対して略対称に配置させた、第１の光学系と第２の光学系との２系統の光学部材群を経て偏向走査された光束を感光ドラム４６面上に集光させる場合、この感光ドラム４６面上における色ずれに相互差を発生させる。
【００５４】
そこで、この色ずれ相互差について、次に説明する。図５に、色ずれ相互差を比較する略線図を示す。
【００５５】
図５Ａは、レーザホルダ４０を取り付けたそれぞれの系統に対応する嵌合部１０を、２系統とも回転多面鏡であるポリゴンミラー３１の回転軸の方向に沿って同一方向に設けた場合の感光ドラム４６の面上における色ずれを示す。また、図５Ｂは、一方の嵌合部１０と他方の嵌合部１０とを、ポリゴンミラー３１の回転軸の方向に対して倒立させた場合の感光ドラム４６面上における色ずれを示す。
【００５６】
図５Ａに示すように、半導体レーザ３９の熱によるレーザホルダ４０の熱膨張の影響により、２つの光源部から照射され、ポリゴンミラー３１に入射される光束の位置が、ポリゴンミラー３１の回転軸の方向において同一方向へずれが生じた場合、このずれは、感光ドラム４６面上において、それぞれ色ずれＸａ１，Ｘａ２として発生する。
【００５７】
そして、このときの色ずれ相互差をΔｄａとすると、
【数１】
2004138647.tif 000003
と表すことができる。
【００５８】
そして、それぞれの系統に対応する嵌合部１０を、２系統ともポリゴンミラー３１の回転軸の方向と同一方向になるように設けた場合、色ずれＸａ１，Ｘａ２のずれ方向は互いに逆方向になるため、
【数２】
2004138647.tif 000004
となり、Δｄａは大きくなる。
【００５９】
また、半導体レーザ３９の熱によるレーザホルダ４０の熱膨張の影響により、２つの光源部から照射され、ポリゴンミラー３１に入射される光束の位置が、ポリゴンミラー３１の回転軸の方向において逆方向へずれを生じる。
【００６０】
このずれは、感光ドラム４６面上において、それぞれ色ずれＸｂ１，Ｘｂ２として発生し、その色ずれ相互差をΔｄｂで表すと、
【数３】
2004138647.tif 000005
となる。
【００６１】
また、それぞれの系統に対応する嵌合部１０において、一方の嵌合部１０を他方の嵌合部１０に対してほぼ倒立して設けた場合、色ずれＸｂ１，Ｘｂ２におけるずれ方向が同一方向となるので、
【数４】
2004138647.tif 000006
となり、Δｄｂが小さくなる。これにより、それぞれの半導体レーザ３９から出射され、感光ドラム４６の面上に照射されるそれぞれの光束の、それぞれの感光ドラム４６に対する相対的位置のずれを低減することができ、これにより、転写材４５上における色ずれを低減することができる。
【００６２】
以上説明したように、この一実施形態によれば、２つの嵌合部１０を互いに反対向きにして光学箱３６に取り付けるようにしていることにより、光源部である半導体レーザ３９の発熱により生じる、レーザホルダ４０の熱膨張の影響によって、２つの光源部から照射され、ポリゴンミラー３１に入射される光束の位置を、このポリゴンミラー３１の回転軸の方向において逆転させることが可能となり、感光ドラム４６面上において、互いの色のずれを相殺して、その色ずれを低減することができる。
【００６３】
以上、この発明の一実施形態について具体的に説明したが、この発明は、上述の一実施形態に限定されるものではなく、この発明の技術的思想に基づく各種の変形が可能である。
【００６４】
例えば、上述の一実施形態において挙げた数値はあくまでも例に過ぎず、必要に応じてこれと異なる数値を用いてもよい。
【００６５】
また、上述の一実施形態においては、円筒形状の嵌合部の位置決めにＶ字形状の部材を採用しているが、必ずしもＶ字形状に限るものではなく、円筒形状の嵌合部を位置決めできるものであれば、例えば円弧形状や楕円弧などの部材を用いることも可能である。
【００６６】
以上、この発明の実施形態について説明したが、この発明は上述の実施形態に限定されるものではなく、以下の技術的思想をも包含している。
【００６７】
すなわち、この発明において、典型的には、複数の光源部の個数は２つである。そして、好適には、複数の光源部の個数が２つであり、これらの２つの光源部のうちの一方の光源部の位置決めを行うＶ字形状の向きと、他方の光源部の位置決めを行うＶ字形状の向きとが互いに反対方向になるように形成されている。
【００６８】
この発明において、第１の光源部と第２の光源部とを安定して固定するために、典型的には、固定部はＶ字形状を有し、好適には、一方のＶ字形状の固定面を回転多面鏡の回転面の法線ベクトルの向きとほぼ同一の向きとし、この一方のＶ字形状に対して、その固定面がほぼ倒立した向きになるように、他方のＶ字形状の固定部を設けるのが望ましい。すなわち、この発明において、好適には、一方の固定部を、回転多面鏡の回転軸の法線ベクトルと同一の向きに設け、この一方の固定部に対してほぼ倒立した向きになるように、他方の固定部を設けるのが望ましい。
【００６９】
この発明において、第１の光源部から出射する光束のずれと第２の光源部から出射する光束のずれとが互いに相殺するように構成するために、典型的には、第１の光学系と第２の光学系とが、回転多面鏡の回転軸に平行な面に対して互いにほぼ対称に配置されている。
【００７０】
【発明の効果】
以上説明したように、この発明によれば、一方の第１の固定部の付勢の向きと他方の第２の固定部の付勢の向きとを、互いに反対方向になるように設けていることにより、光束を出射する光源部の発熱の影響によって生じる熱膨張の変形することにより生じる光束の出射方向のずれが、互いに反対方向になり、回転他面鏡に対して互いに反対方向に位置する第１の光学系および第２の光学系によって照射する光束を、所定面上において、同じ方向にずれるようにすることができる。これにより、この走査光学装置を備えた画像形成装置においては、光源部からの光の出射の熱の影響により生じる、色ずれ相互差を相殺し、低減して、印字品質の悪化を防止することができる。
【図面の簡単な説明】
【図１】この発明の一実施形態によるカラー画像形成装置を示す断面図である。
【図２】この発明の一実施形態によるカラー画像形成装置に備えられる走査光学装置の構成を説明するための上面図および側部断面図である。
【図３】この発明の一実施形態による走査光学装置における光源部の構成を示す斜視図である。
【図４】この発明の一実施形態による光源部における現象の比較を説明するための略線図である。
【図５】この発明の一実施形態による色ずれ相互差を比較するための略線図である。
【図６】この発明の前段階となる本出願人により提案された光源部の構成を表す斜視図である。
【図７】従来技術による走査光学装置を示す斜視図である。
【図８】従来技術による封入された半導体レーザのパッケージ構造を示す斜視図である。
【符号の説明】
１Ｃ，１Ｍ，１Ｙ，１ＢＫ　現像器
２Ｃ，２Ｍ，２Ｙ，２ＢＫ　転写ローラ
１０　嵌合部
１１，１６　固定部材
１３　穴
１４，３９，３９Ｃ，３９Ｍ，３９Ｙ，３９ＢＫ，７９　半導体レーザ
１５，４０　レーザホルダ
１７，３６，３６ａ，３６ｂ，７６　光学箱
３０　レーザユニット
３１，３１ａ，３１ｂ，７１　ポリゴンミラー
３２，３２Ｃ，３２Ｍ，３２Ｙ，３２ＢＫ，７２　走査レンズ
３３Ｃ，３３Ｍ，３３Ｙ，３３ＢＫ，７３　折り返しミラー
３４ａ，３４ｂ　駆動モータ
３５　コリメータ鏡筒
３８，７８　コリメータレンズ
４１　突出部
４３　排紙トレイ
４４　転写ベルト
４５　転写材
４６，４６Ｃ，４６Ｍ，４６Ｙ，４６ＢＫ　感光ドラム
４７Ｃ，４７Ｍ，４７Ｙ，４７ＢＫ　一次帯電器
４８Ｃ，４８Ｍ，４８Ｙ，４８ＢＫ　クリーナ
４９　給紙トレイ
５０　給紙ローラ
５１　レジストローラ
５２　駆動ローラ
５３　定着器
５４　排紙ローラ
６０　レーザチップ
６１　窓
６２　フォトダイオード
７０　レーザユニット
７４　ＢＤミラー
７５　ＢＤユニット
７７　シリンダレンズ
【図１】
2004138647.tif 000007
【図２】
2004138647.tif 000008
【図３】
2004138647.tif 000009
【図４】
2004138647.tif 000010
【図５】
2004138647.tif 000011
【図６】
2004138647.tif 000012
【図７】
2004138647.tif 000013
【図８】
2004138647.tif 000014